(57)【要約】【課題】使用する高圧水供給ホース及び高圧空気供給ホースの長さ可及的に短くすることができ、また簡易な構造の煙突の洗浄装置を提供することである。【解決手段】洗浄する煙突Ａの内周面に押圧され、上下方向に移動可能なガイドローラー１２を少なくとも二以上有し、上方からワイヤ２８で吊り下げられる第１ガイド部１４と、洗浄する煙突Ａの内周面に押圧され、上下方向に移動可能なガイドローラー１６を少なくとも二以上有し、前記第１ガイド部１４の下方に設けられている第２ガイド部１８と、少なくとも洗浄する煙突Ａの内周面に向けて高圧水を噴出するノズル２０を有し、前記第１ガイド部１４及び第２ガイド部１８の間にそれらに対して回転可能に設けられている洗浄装置本体２２と、前記第２ガイド部１８に接続され、前記ノズル２０から噴出される高圧水を供給可能な高圧水供給ホース２４と、前記第２ガイド部１８に接続され、前記洗浄装置本体２２の回転に必要なエネルギーを供給可能なエネルギー供給ホース２６と、を備えたことを特徴とする煙突洗装置である。【選択図】　図２
2004053165.tif 000002
【特許請求の範囲】
【請求項１】
洗浄する煙突の内周面に押圧され、上下方向に移動可能なガイドローラーを少なくとも二以上有し、上方からワイヤで吊り下げられる第１ガイド部と、
洗浄する煙突の内周面に押圧され、上下方向に移動可能なガイドローラーを少なくとも二以上有し、前記第１ガイド部の下方に設けられている第２ガイド部と、
少なくとも洗浄する煙突の内周面に向けて高圧水を噴出するノズルを有し、前記第１ガイド部及び第２ガイド部の間にそれらに対して回転可能に設けられている洗浄装置本体と、
前記第２ガイド部に接続され、前記ノズルから噴出される高圧水を供給可能な高圧水供給ホースと、
前記第２ガイド部に接続され、前記洗浄装置本体の回転に必要なエネルギーを供給可能なエネルギー供給ホースと、
を備えたことを特徴とする煙突洗装置。
【請求項２】
前記洗浄装置本体は、前記ノズルを支持するとともに、弾性を有する素材で構成された支持アームをさらに備え、前記ノズルは、煙突の内周面に向かって高圧水を噴出する第１ノズル口と、該第１ノズル口に対して反対方向に、第１ノズル口から噴出される高圧水よりも大量の高圧水を噴出する第２ノズル口と、を備えていることを特徴とする請求項１記載の煙突の洗浄装置。
【請求項３】
前記高圧水供給ホース及びエネルギー供給ホースが洗浄する煙突から引き出される際に、高圧水を前記高圧水供給ホース及びエネルギー供給ホースの外周面に前記煙突内に向かって高圧水を流動させて前記高圧水供給ホース及びエネルギー供給ホースの外周面の洗浄を行うホース外周面洗浄手段をさらに備えていることを特徴とする請求項１又は２記載の煙突の洗浄装置。
【請求項４】
前記ワイヤが洗浄する煙突から引き出される際に、高圧水を前記ワイヤの外周面に前記煙突内に向かって高圧水を流動させて前記ワイヤの外周面の洗浄を行うワイヤ外周面洗浄手段をさらに備えていることを特徴とする請求項１ないし３いずれか記載の煙突の洗浄装置。
【発明の詳細な説明】
【０００１】
【発明の属する技術分野】
本発明は、煙突の内周面の洗浄を行う煙突の洗浄装置に関する。
【０００２】
【従来の技術】
従来から、工場などの煙突の内周面の洗浄を行う煙突の洗浄装置がある。従来の煙突の洗浄装置は、図５に示すように洗浄する煙突Ａの内周面に高圧水を噴出する一対のノズル８０を有する洗浄装置本体８２と、洗浄装置本体８２を回転するエアーモータを有する回転装置８４と、洗浄装置本体８２の下方に吊り下げられ、洗浄装置本体８２のバランスを取る錘部材８６と、回転装置８４を煙突Ａの上方から吊り下げるワイヤ８８と、煙突Ａの上方から回転装置８４を介して洗浄装置本体８２にノズル８０から噴出するための高圧水を供給する高圧水供給ホース９０及び高圧水供給ポンプ９２と、煙突Ａの上方から回転装置８４にエアーモータを回転させるための高圧空気を供給する高圧空気供給ホース９４及び高圧空気供給ポンプ９６と、を備えている。
【０００３】
この煙突の洗浄装置は、高圧空気供給ポンプ９６から高圧空気供給ホース９４を介して回転装置８４に高圧水を供給してエアーモータを回転させることによって、洗浄装置本体８２を回転させ、同時に高圧水供給ポンプ９２から高圧水供給ホース９０及び回転装置８４を介して洗浄装置本体８２に高圧水を供給してノズル８０から高圧水を噴出させて、煙突Ａの内周面の汚れの洗浄を行う。洗浄装置本体の上下方向の移動は、ワイヤ８８が繋がれているワイヤドラム９８によって行われる。
【０００４】
【発明が解決しようとする課題】
しかしながら、従来のこの種の煙突の洗浄装置は、高圧水と高圧空気を煙突の上方から供給しているため、煙突の高さの約二倍の長さの高圧水供給ホース及び高圧空気供給ホースを要し、また上方からこれらのホースを吊るすため洗浄装置が大掛かりなものになってしまうという問題がある。
【０００５】
そこで、本発明は、使用する高圧水供給ホース及び高圧空気供給ホースの長さを可及的に短くすることができ、また簡易な構造の煙突の洗浄装置を提供することを目的とする。
【０００６】
【課題を解決するための手段】
以上の目的を達成するため、本発明は、洗浄する煙突の内周面に押圧され、上下方向に移動可能なガイドローラーを少なくとも二以上有し、上方からワイヤで吊り下げられる第１ガイド部と、洗浄する煙突の内周面に押圧され、上下方向に移動可能なガイドローラーを少なくとも二以上有し、前記第１ガイド部の下方に設けられている第２ガイド部と、少なくとも洗浄する煙突の内周面に向けて高圧水を噴出するノズルを有し、前記第１ガイド部及び第２ガイド部の間にそれらに対して回転可能に設けられている洗浄装置本体と、前記第２ガイド部に接続され、前記ノズルから噴出される高圧水を供給可能な高圧水供給ホースと、前記第２ガイド部に接続され、前記洗浄装置本体の回転に必要なエネルギーを供給可能なエネルギー供給ホースと、を備えたことを特徴とする煙突洗装置である。
【０００７】
以上のように本発明に係る煙突の洗浄装置によれば、洗浄装置本体を回転させる第２ガイド部を洗浄装置本体の下方に設け、洗浄装置本体に供給する高圧水や第２ガイド部に供給する洗浄装置本体の回転に必要なエネルギーを第２ガイド部に接続されているので、高圧水供給ホースやエネルギー供給ホースを洗浄する煙突の下方から導入することができ、使用する高圧水供給ホース及びエネルギー供給ホースの長さを可及的に短くすることができる。また、これらホースを洗浄する煙突の上方から導入する必要がないため、洗浄装置の構造が複雑になることはない。
【０００８】
本発明に係る煙突の洗浄装置において、前記洗浄装置本体は、前記ノズルを支持するとともに、弾性を有する素材で構成された支持アームをさらに備え、前記ノズルは、煙突の内周面に向かって高圧水を噴出する第１ノズル口と、該第１ノズル口に対して反対方向に、第１ノズル口から噴出される高圧水よりも大量の高圧水を噴出する第２ノズル口と、を備えていることが好ましい。このように、ノズルを弾性を有する素材で構成された支持アームによって支持させ、煙突の内周面に向かって噴出される第１ノズルよりその反対方向に高圧水を噴出する第２ノズルの方が高圧水を大量に噴出するよう構成することにより、煙突の内径が変化する場合であっても、ノズルを洗浄する煙突の内周面に当接させることができ、洗浄装置本体を回転することによりノズルを煙突の内周面に沿って移動させることができるので、効率的に煙突の内周面の洗浄を行うことができる。
【０００９】
また、本発明に係る煙突の洗浄装置において、前記高圧水供給ホース及びエネルギー供給ホースが洗浄する煙突から引き出される際に、高圧水を前記高圧水供給ホース及びエネルギー供給ホースの外周面に洗浄する煙突内に向かって高圧水を流動させて前記高圧水供給ホース及びエネルギー供給ホースの外周面の洗浄を行うホース外周面洗浄手段をさらに備えていることが好ましく、また前記ワイヤが洗浄する煙突から引き出される際に、高圧水を前記ワイヤの外周面に洗浄する煙突内に向かって高圧水を流動させて前記ワイヤの外周面の洗浄を行うワイヤ外周面洗浄手段をさらに備えていることが好ましい。このようにホース外周面洗浄手段やワイヤ外周面洗浄手段をさらに備えることにより、煙突内でホースやワイヤに付着したダイオキシンやすすなどを煙突内に流し落とすことができ、煙突外にダイオキシンやすすが排出するのを防止することができる。
【００１０】
【発明の実施の形態】
次に、本発明に係る煙突の洗浄装置の実施例について図面に基づいて説明する。図１は、本実施例に係る煙突の洗浄装置の主要部分の正面図であり、図２は、本実施例に係る煙突の洗浄装置を用いて煙突内を洗浄している状態を示す概略図である。
【００１１】
本実施例に係る煙突の洗浄装置１０は、上下方向に移動可能なガイドローラー１２を有し、上方からワイヤ２８によって吊り下げられる第１ガイド部１４と、上下方向に移動可能なガイドローラー１６を有し、第１ガイド部１４の下方に設けられている第２ガイド部１８と、少なくとも洗浄する煙突Ａの内周面Ａ１に向けて高圧水を噴出するノズル２０を有し、第１ガイド部１４及び第２ガイド部１８の間にそれらに対して回転可能に設けられている洗浄装置本体２２と、ノズル２０から噴出させるための高圧水を供給可能な高圧水供給ホース２４と、洗浄装置本体２２の回転に必要な高圧空気を供給可能な高圧空気供給ホース２６と、を備えている。
【００１２】
第１ガイド部１４は、円柱状に形成された第１ガイド部本体３０と、一対のガイドローラー１２と、第１ガイド部本体３０の外周面に設けられ、各ガイドローラー１２を煙突Ａの上下方向に回転可能に支持する一対のガイドアーム３２と、を備えている。第１ガイド部本体３０の上面には、ワイヤ２８が接続可能なフック３１が設けられている。ガイドアーム３２は、第１ガイド部本体３０に対して水平方向に延びる水平部３２Ａと、水平部３２Ａの先端に設けられ、ガイドローラー１２を支持する支持部３２Ｂと、これら水平部３２Ａと支持部３２Ｂを連結するジョイント部３２Ｃと、から構成されており、ジョイント部３２Ｃには、支持部３２Ｂを水平状態に保つように付勢するスプリングが内蔵されている。この内蔵されたスプリングによって、ガイドアーム３２は、ガイドローラ１２が煙突Ａの内周面に当接する位置で固定され、第１ガイド部１４の水平方向の回転が規制されガイドローラー１２による上下方向の移動のみ許容される。また、水平部３２Ａ及び支持部３２Ｂは、煙突の径に応じて長さが調整できるよう構成されている。
【００１３】
第２ガイド部１８は、円柱状に形成された第２ガイド部本体３４と、一対のガイドローラー１６と、第２ガイド部本体３４の外周面に設けられ、各ガイドローラー１６を煙突Ａの上下方向に回転可能に支持する一対のガイドアーム３６と、を備えている。ガイドアーム３６は、第２ガイド部本体３４に対して水平方向に延びる水平部３６Ａと、水平部３６Ａの先端に設けられ、ガイドローラー１６を支持する支持部３６Ｂと、これら水平部３６Ａと支持部３６Ｂを連結するジョイント部３６Ｃと、から構成されており、ジョイント部３６Ｃには、支持部３６Ｂを水平状態に保つように付勢するスプリングが内蔵されている。この内蔵されたスプリングによって、ガイドアーム３６は、ガイドローラ１６が煙突Ａの内周面に当接する位置で固定され、第２ガイド部１８の水平方向の回転が規制されガイドローラー１６による上下方向の移動のみ許容される。また、水平部３６Ａ及び支持部３６Ｂは、煙突の径に応じて長さが調整できるよう構成されている。
【００１４】
第２ガイド部本体３４には、洗浄装置本体２２を水平方向に回転させるエアーモータ（図示省略）が内蔵されている。また、第２ガイド部本体３４の底面には、高圧水供給ホース２４が接続される第１ノズル３８と、高圧空気供給ホース２６が接続される第２ノズル４０と、が設けられている。この高圧水供給ホース２４によって供給される高圧水は、洗浄装置本体２２に供給され、高圧空気供給ホース２６によって供給される高圧空気は、第２ガイド部本体３４に内蔵されているエアーモータの駆動エネルギーとして利用される。
【００１５】
洗浄装置本体２２は、円柱状に形成された中心部４２と、一対のノズル２０と、中心部４２の外周面に設けられ、各ノズルを支持する一対の支持アーム４４と、を備えている。支持アーム４４は、中心部４２に対して水平方向に延びる水平部４４Ａと、水平部４４Ａの先端に設けられ、ノズル２０を支持する支持部４４Ｂと、から構成されている。支持部４４Ｂは、弾性を有する素材、例えば硬質なゴム素材で構成されている。ノズル２０は、図３に示すように円柱状に形成されており、外周面には、第１ノズル口４６が形成されており、その第１ノズル口４６の反対側には、第１ノズル口４６より大径な第２ノズル口４８が形成されている。そして、ノズル２０は、第１ノズル口４６が煙突Ａの内周面側を向き、第２ノズル口４８が煙突Ａの中心に向くように支持アーム４４の支持部４４Ｂに支持されている。中心部４２の上面には、上方に延在し、第１ガイド部１４の第１ガイド部の底面に回転可能に支持されている第１回転軸５０が固定されており、また中心部４２の底面には、下方に延在し、第２ガイド部１８の第２ガイド部本体３４の上面に回転可能に支持されている第２回転軸５２が固定されている。これら第１回転軸５０及び第２回転軸は、第１ガイド部本体３０の底面及び第２ガイド部本体３４の上面に設けられたベアリングなどの軸受け部材（図示省略）によって第１ガイド部本体３０及び第２ガイド部本体３４に回転可能に支持されている。
【００１６】
洗浄装置本体２２において、第２回転軸５２、並びに支持アーム４４の水平部４２Ａ及び支持部４２Ｂは、中空に形成されており、高圧水供給ホース２４から供給される高圧水は、第２ガイド部本体３４、第２回転軸５２、洗浄装置本体２２の中心部４２、並びに支持アーム４４の水平部４４Ａ及び支持部４４Ｂを介してノズル２０に誘導され、ノズル２０の第１ノズル口４６及び第２ノズル口４８から噴出されるよう構成されている。この際、第２ノズル口４８の方が第１ノズル口４６よりも大径なので第１ノズル口４６よりも大量の高圧水が噴出し、第２ノズル口４８は、煙突Ａの中心を向いており、さらに支持部４４Ｂは、弾性を有する素材で構成されているので、ノズル２０の第１ノズル口４６及び第２ノズル口４８から高圧水が噴出すると、ノズル２０は、煙突Ａの内周面に当接し、洗浄装置本体２２が回転することにより、煙突Ａの内周面に沿って移動し、煙突Ａの内径が変化する場合であっても、常に内周面に当接しそれに沿って移動する。
【００１７】
高圧水供給ホース２４及び高圧空気供給ホース２６は、煙突Ａの下方の入口Ｂから誘導され、煙突Ａの外部に設けられた高圧水供給ポンプ５４及び高圧空気供給ポンプ５６に接続されている。煙突Ａの入口Ｂには、高圧水供給ホース２４及び高圧空気供給ホース２６の外周面を洗浄するホース外周面洗浄装置５８が設置されている。ホース外周面洗浄装置５８は、洗浄用高圧水ホース６０を介して高圧水供給ポンプ５４に接続された洗浄ホース６２を備えている。洗浄ホース６２は、図２及び図４に示すように、上端が洗浄用高圧水ホース６０に接続され、上下方向に延びる洗浄ホース本体６２Ａと、洗浄ホース本体６２Ａから水平方向に延び、先端が煙突Ａ内に位置する２本の枝ホース６２Ｂ、６２Ｃと、を備えており、洗浄ホース本体６２Ａの上端から供給された高圧水は、煙突Ａ内の枝ホース６２Ｂ、６２Ｃの先端から排出するよう構成されている。また、枝ホース６２Ｂ、６２Ｃ内には、高圧水供給ホース２４及び高圧空気供給ホース２６が移動可能に挿入されるよう構成されており、洗浄ホース本体６２Ａの高圧水供給ホース２４及び高圧空気供給ホース２６が挿入される位置は、シール部材６４、６６によってシールされ高圧水が漏れないよう構成されている。したがって、高圧水供給ホース２４及び高圧空気供給ホース２６は、煙突Ａから外に引き出される際に、それらの外周面が洗浄ホース６２内を流動する高圧水によって洗浄されるので、煙突Ａ内で外周面に付着したダイオキシンやすすなどが高圧水供給ホース２４及び高圧空気供給ホース２６とともに外に排出されるのを防止することができる。
【００１８】
ワイヤ２８は、煙突Ａの上方に設けられるプーリ６４、６６を介して煙突Ａの上方の出口Ｃから誘導され、その先端を第１ガイド部本体３０のフック３１に接続することにより、煙突の洗浄装置１０を煙突Ａ内に吊り下げることができるよう構成されている。ワイヤ２８の基端は、回転ドラム６８に巻き付けられており、この回転ドラム６８によってワイヤ２８の長さを変化させて煙突内の洗浄装置１０を上下に移動させるよう構成されている。煙突Ａの出口Ｃには、ワイヤ２８の外周面を洗浄するワイヤ外周面洗浄装置７０が設置されている。ワイヤ外周面洗浄装置７０は、ホース外周面洗浄装置５８と同様に、洗浄用高圧水ホース６０を介して高圧水供給ポンプ５４に接続された洗浄ホース７２を備えている。洗浄ホース７２は、基端が洗浄用高圧水ホース６０に接続され、水平方向に延びる洗浄ホース本体７２Ａと、洗浄ホース本体７２Ａから垂直下方向に延び、先端が煙突Ａ内に位置する枝ホース７２Ｂと、を備えており、洗浄ホース本体７２Ａの基端から供給された高圧水は、煙突Ａ内の枝ホース７２Ｂの先端から排出するよう構成されている。また、枝ホース７２Ｂ内には、ワイヤ２８が移動可能に挿入されるよう構成されており、洗浄ホース本体７２Ａのワイヤ２８が挿入される位置は、シール部材（図示省略）によってシールされ高圧水が漏れないよう構成されている。したがって、ワイヤ２８は、煙突Ａから外に引き出される際に、それらの外周面が洗浄ホース７２内を流動する高圧水によって洗浄されるので、煙突Ａ内で外周面に付着したダイオキシンやすすなどがワイヤ２８とともに外に排出されるのを防止することができる。
【００１９】
次に、本実施例に係る煙突の洗浄装置の動作について説明する。先ず、高圧空気供給ポンプ５６から高圧空気供給ホース２６を介して第２ガイド部１８の第２ガイド部本体３４に高圧水を供給して、それに内蔵されたエアーモータを回転させると、洗浄装置本体２２が回転する。同時に、高圧水供給ポンプ５４から高圧水供給ホース２４及び第２ガイド部本体３４を介して洗浄装置本体２２に高圧水を供給すると、ノズル２０は、第１ノズル口４６及び第２ノズル口４８から高圧水を噴出させる。この際、第２ノズル口４８の方が第１ノズル口４６よりも大径なので第１ノズル口４６よりも大量の高圧水が噴出し、第２ノズル口４８は、煙突Ａの中心を向いており、さらに支持部４４Ｂは、弾性を有する素材で構成されているので、ノズル２０は、煙突Ａの内周面に当接し、洗浄装置本体２２の回転により、煙突Ａの内周面に沿って移動する。そして、回転ドラム６８によってワイヤ２８の長さを調整することにより、洗浄装置１０を上下方向に移動させて煙突Ａの内周面全域に亘って洗浄を行うことができる。
【００２０】
【発明の効果】
以上のように本発明に係る煙突の洗浄装置によれば、洗浄装置本体を回転させる第２ガイド部を洗浄装置本体の下方に設け、洗浄装置本体に供給する高圧水や第２ガイド部に供給する洗浄装置本体の回転に必要なエネルギーを第２ガイド部に接続したので、高圧水供給ホースやエネルギー供給ホースを洗浄する煙突の下から導入することができ、使用する高圧水供給ホース及びエネルギー供給ホースの長さ可及的に短くすることができ、またこれらホースを洗浄する煙突の上方から導入する必要がないため、簡易な構造の煙突の洗浄装置を提供することができる。
【図面の簡単な説明】
【図１】本発明に係る煙突の洗浄装置の実施例の主要部分の正面図である。
【図２】本実施例に係る煙突の洗浄装置を用いて煙突内を洗浄している状態を示す概略図である。
【図３】本実施例に係る煙突の洗浄装置のノズルの拡大図である。
【図４】本実施例に係る煙突の洗浄装置のホース外周面洗浄装置の一部正面断面図である。
【図５】従来の煙突の洗浄装置を用いて煙突内を洗浄している状態を示す概略図である。
【符号の説明】
１０　　　　　　　　　　煙突の洗浄装置
１２　　　　　　　　　　ガイドローラー
１４　　　　　　　　　　第１ガイド部
１６　　　　　　　　　　ガイドローラー
１８　　　　　　　　　　第２ガイド部
２０　　　　　　　　　　ノズル
２２　　　　　　　　　　洗浄装置本体
２４　　　　　　　　　　高圧水供給ホース
２６　　　　　　　　　　高圧空気供給ホース
２８　　　　　　　　　　ワイヤ
Ａ　　　　　　　　　　　　煙突
【図１】
2004053165.tif 000003
【図２】
2004053165.tif 000004
【図３】
2004053165.tif 000005
【図４】
2004053165.tif 000006
【図５】
2004053165.tif 000007